(57)【要約】【課題】本発明の課題は、複数の回路モジュールを備える複合機等の電子機器において、回路モジュール毎に低消費電力制御を行う際に、回路の一部が破壊されることを防止する。【解決手段】独立して電源の制御が行われる２つの回路モジュールＡ，Ｂを備える複合機１において、インターフェース電圧監視回路１４３は、電源１４１ａ及び電源回路１４１ｂから印加される電圧を一括して監視し、一方の回路モジュールへの電源が遮断される際に、電源１４１ａ又は１４１ｂから印加される電圧が監視基準電圧として設定される電圧Ｃ以下になった場合、「Ｌｏｗ」レベルのゲート制御信号をＩ／Ｆ部１５ａ及びＩ／Ｆ部１５ｂに出力することにより、Ｉ／Ｆ部１５ａ及びＩ／Ｆ部１５ｂの出力ゲートをＯＦＦさせて、回路モジュールＡ、Ｂを電気的に遮断させる。【選択図】        図２
2004171262.tif 000002
【特許請求の範囲】
【請求項１】
ゲートを有するインターフェースを介して接続された複数の回路と、前記回路毎に電源の供給及び遮断の制御を行う電源制御手段と、を備えた電子機器において、
前記複数の回路毎に供給されている電源の電圧を予め設定された監視基準電圧と比較し、前記複数の回路のうち少なくとも１つの回路において電源の電圧が前記監視基準電圧以下の場合、当該回路と他の回路とを接続するインターフェースのゲートにゲート制御信号を出力するインターフェース電圧監視回路を備えることを特徴とする電子機器。
【請求項２】
前記監視基準電圧は、前記複数の各回路の駆動電圧より小さい値であって、前記インターフェースの駆動電圧より大きい値の範囲内に設定されることを特徴とする請求項１記載の電子機器。
【請求項３】
ゲートを有するインターフェースを介して接続される複数の回路毎に電源の供給及び遮断の制御を行う電源制御方法において、
前記複数の回路毎に供給されている電源の電圧を予め設定された監視基準電圧と比較してそれぞれ監視する工程と、
前記複数の回路のうち少なくとも１つの回路において電源の電圧が前記監視基準電圧以下の場合、当該回路と他の回路とを接続するインターフェースのゲートにゲートオフ信号を出力する工程と、
を含むことを特徴とする電源制御方法。
【請求項４】
前記監視基準電圧は、前記複数の各回路の駆動電圧より小さい値であって、前記インターフェースの駆動電圧より大きい値の範囲内に設定されることを特徴とする請求項３記載の電源制御方法。
【発明の詳細な説明】
【０００１】
【発明の属する技術分野】
本発明は、複数の回路モジュールを備える電子機器において、低消費電力状態に移行する際の回路の一部が破壊されることを防止する機能を備える電子機器及び電源制御方法に関するものである。
【０００２】
【従来の技術】
従来から、コピー機能、プリンタ機能、ファクス機能、スキャナ機能等、複数の機能を備えた複合機が知られている。このように、多機能を備え、多くの電力を消費する複合機においては、環境問題やエネルギー問題への関心の高まりに伴い、不使用時の消費電力の低減化を実現することが要求されている。そこで、複合機は、不使用時に必要最小限の機能を維持するスタンバイ状態やスリープ状態等の低消費電力状態に切り替えを行うことにより、無駄な消費電力の低減が図られている。
【０００３】
上述した複合機は、各機能毎に回路モジュールを有しているため、不使用となる機能毎に回路モジュールへの電源供給を制御して、スタンバイ状態やスリープ状態に移行することができる（例えば、特許文献１）。また、上述した各種機能を備えずに、プリンタ機能のみを備えるプリンタ等においても、複数のＣＰＵとその周辺回路への電源供給を回路モジュール毎に切り替えて制御することにより、効率的な省電力化を実現させている（例えば、特許文献２）。
【０００４】
一例として、図４に示すように、回路モジュールＡと回路モジュールＢとがインターフェースを介して接続される複合機１００の場合、例えば、回路モジュールＡの未使用時間が所定の時間を経過すると、回路モジュールＡへの電源が遮断され、回路モジュールＡはスリープ状態となり、回路モジュールＢのみに電源が供給される構成となっている。
【０００５】
ここで、従来の複合機１００の電源回路１０１ａ、１０１ｂについて、図５を参照して説明する。図５に示すように、電源回路１０１ａ及び電源回路１０１ｂは、それぞれ電源１０ａ及び電源１０ｂを備えている。電源１０ａは、回路モジュールＡ及びインターフェース電圧発生回路２０ａに対して所定電圧にて電源を供給する。具体的に、回路モジュールＡの駆動電圧を電圧Ａ、インターフェース部１０２ａの駆動電圧を電圧Ｄとすると、インターフェース電圧発生回路２０ａは、電源１０ａから印加された電圧Ａを電圧Ｄまで降圧して、インターフェース部１０２ａに印加する。
【０００６】
同様に、電源１０ｂは、回路モジュールＢ及びインターフェース電圧発生回路２０ｂに対して所定電圧にて電源を供給する。具体的に、回路モジュールＢの駆動電圧を電圧Ｂ、インターフェース部１０２ｂの駆動電圧を電圧Ｄとすると、インターフェース電圧発生回路２０ｂは、電源１０ｂから供給された電圧Ａを電圧Ｄまで降圧して、インターフェース部１０２ｂに印加する。したがって、例えば回路モジュールＡをスリープ状態に移行させる場合は、電源１０ａを制御して電源の供給を停止させることにより、回路モジュールＡ及びインターフェース部１０２ａへの電源を遮断し、電源１０ｂから回路モジュールＢに電源を供給させることにより、回路モジュールＡをスリープ状態に移行させて、回路モジュールＢのみを稼動させることができる。
【０００７】
【特許文献１】
特開２００２−１８５０４０号公報
【特許文献２】
特開平８−３１００８２号公報
【０００８】
【発明が解決しようとする課題】
しかしながら、従来の複合機等（例えば、特許文献１、２）においては、一方の回路モジュールに電源供給が行われている状態において、他方の回路モジュールの電源を遮断する場合、電源供給が行われている回路モジュールに対する配慮をせずに、他方の回路モジュールの電源を遮断していた。このため、電源遮断時に、電源供給が行われている回路モジュールに過大な負荷がかかる可能性があった。
【０００９】
例えば、上述した複合機１００においては、回路モジュールＡ及びインターフェース部１０２ａへの電源が遮断され、全電位が仮想的にＧＮＤ電位になった状態で、回路モジュールＢからＨ電位の信号が出力された場合、インターフェース部１０２ｂを介してＧＮＤ電位に向かって不必要な電流が流れる可能性がある。
この結果、回路モジュールＢにおいて、出力用ＩＣ（Ｉｎｔｅｇｒａｔｅｄ  Ｃｉｒｃｕｉｔ）の最大定格値を超えた電流が出力され、回路モジュールＢのＩＣが破壊されてしまうという問題が生じる恐れがある。
【００１０】
本発明の課題は、複数の回路モジュールを備える複合機等の電子機器において、回路モジュール毎に低消費電力制御を行う際に、回路の一部が破壊されることを防止する。
【００１１】
【課題を解決するための手段】
上記課題を解決するために、請求項１記載の発明は、
ゲートを有するインターフェースを介して接続された複数の回路と、前記回路毎に電源の供給及び遮断の制御を行う電源制御手段と、を備えた電子機器において、
前記複数の回路毎に供給されている電源の電圧を予め設定された監視基準電圧と比較し、前記複数の回路のうち少なくとも１つの回路において電源の電圧が前記監視基準電圧以下の場合、当該回路と他の回路とを接続するインターフェースのゲートにゲート制御信号を出力するインターフェース電圧監視回路を備えることを特徴としている。
【００１２】
請求項２記載の発明は、請求項１記載の発明において、
前記監視基準電圧は、前記複数の各回路の駆動電圧より小さい値であって、前記インターフェースの駆動電圧より大きい値の範囲内に設定されることを特徴としている。
【００１３】
請求項３記載の発明は、
ゲートを有するインターフェースを介して接続される複数の回路毎に電源の供給及び遮断の制御を行う電源制御方法において、
前記複数の回路毎に供給されている電源の電圧を予め設定された監視基準電圧と比較してそれぞれ監視する工程と、
前記複数の回路のうち少なくとも１つの回路において電源の電圧が前記監視基準電圧以下の場合、当該回路と他の回路とを接続するインターフェースのゲートにゲートオフ信号を出力する工程と、
を含むことを特徴としている。
【００１４】
したがって、請求項１又は３に記載の発明によれば、インターフェースを介して接続される複数の回路毎に電源の遮断及び供給の制御を行う電子機器において、一方の回路の電源を遮断し、他方の回路に電源を供給する場合、一方の回路の電源が遮断される前に、インターフェースの接続を電気的に遮断することにより、電源が供給されている回路から、電源が遮断された回路に不必要な電流が流れる可能性を排除して、回路の破壊を防止することができる。
【００１５】
請求項４記載の発明は、請求項３記載の発明において、
前記監視基準電圧は、前記複数の各回路の駆動電圧より小さい値であって、前記インターフェースの駆動電圧より大きい値の範囲内に設定されることを特徴としている。
【００１６】
したがって、２又は４に記載の発明によれば、監視基準電圧を、複数の回路の駆動電圧より小さく、インターフェースの駆動電圧より大きく設定し、この監視基準電圧に基づいて回路に印加される電源電圧の降下を監視することにより、電源遮断動作を的確に認識することができる。また、電圧監視手段により監視されている回路の電圧が監視基準電圧以下になった場合であっても、インターフェースは駆動されているため、インターフェースの出力ゲートにゲートオフ信号を出力することにより、回路間の接続を電気的に遮断することが可能となる。
【００１７】
【発明の実施の形態】
以下、図１〜３を参照して本発明の実施の形態を詳細に説明する。ただし、発明の範囲は、図示例に限定されない。以下では、本発明に係る電子機器を複合機１に適用した場合を例として説明を行う。
【００１８】
まず、本実施の形態の構成を説明する。
図１は、複合機１の全体構成を概念的に示す図である。図１では、本発明に必要な構成のみを示し、説明に不要なその他の構成部分は省略している。なお、本実施の形態においては、回路モジュールを２つ備える複合機１を例として説明するが、回路モジュールの数はこれに限定されず任意である。
【００１９】
図１に示すように、複合機１は、回路毎に機能が分担された回路モジュールＡ及び回路モジュールＢと、これらを接続するインターフェースを備える。回路モジュールＡは、ＣＰＵ１１ａ、ＲＡＭ１２ａ、ＲＯＭ１３ａ、電源回路１４ａ、インターフェース（Ｉ／Ｆ）部１５ａ等を備えて構成される。また、回路モジュールＢは、ＣＰＵ１１ｂ、ＲＡＭ１２ｂ、ＲＯＭ１３ｂ、電源回路１４ｂ、Ｉ／Ｆ部１５ｂ等を備えて構成される。回路モジュールＡ及び回路モジュールＢは、例えば、コピー機能、プリンタ機能、ファクシミリ機能、スキャナ機能、コントローラ機能、操作機能等の各機能を実現するための回路モジュールである。以下、回路モジュールＡを代表として、回路モジュールＡ及び回路モジュールＢの各構成部分について詳細に説明する。
【００２０】
ＣＰＵ（Ｃｅｎｔｒａｌ  Ｐｒｏｃｅｓｓｉｎｇ  Ｕｎｉｔ）１１ａは、ＲＯＭ１２ａに記憶される各種制御プログラムを読み出して、該制御プログラムに従って処理を実行し、制御信号を出力して各部を集中制御する。また、各種処理に応じた処理結果をＲＡＭ１３ａ内の所定の領域に格納する。
【００２１】
具体的に、ＣＰＵ１１ａは、本発明に係る電源制御手段の一つであり、回路モジュールＡの未使用時間をカウントし、未使用時間が所定時間に達した場合に、電源を遮断させる制御信号を電源回路１４ａに出力する。また、ＣＰＵ１１ａは、スリープ状態において、回路モジュールＡを駆動させる指示が入力された場合、電源回路１４ａに電源供給を開始させる制御信号を出力する。
【００２２】
ＲＯＭ（Ｒｅａｄ  Ｏｎｌｙ  Ｍｅｍｏｒｙ）１２ａは、回路モジュールＡの各部を制御するための各種制御プログラムのうち、書き換え不要な基本プログラムを格納している
【００２３】
ＲＡＭ（Ｒａｎｄｏｍ  Ａｃｃｅｓｓ  Ｍｅｍｏｒｙ）１３ａは、書き換え可能な半導体メモリから構成され、ＣＰＵ１１ａによって実行される各種プログラムやこれら各種プログラムによって処理されたデータ等を一時的に記憶するワークエリアを形成する。
【００２４】
次に、本発明に係る電源回路１４ａ、１４ｂについて詳細に説明する。
図２は、電源回路１４ａ、１４ｂ及びＩ／Ｆ部１５ａ、１５ｂの内部構成を示すブロック図であり、他の構成部分については省略してある。図２に示すように、電源回路１４ａは、電源１４１ａ、インターフェース電圧発生回路１４２ａ、インターフェース電圧監視回路１４３を備えて構成される。電源回路１４ｂは、電源１４１ｂ、インターフェース電圧発生回路１４２ｂ、インターフェース電圧監視回路１４３を備えて構成される。
【００２５】
また、インターフェース電圧発生回路１４２ａとインターフェース電圧発生回路１４２ｂは、各回路モジュールＡ、Ｂのそれぞれに設けられたＩ／Ｆ部１５ａ、１５ｂを介して接続されている。なお、電源回路１４ａと電源回路１４ｂの構成及び動作は略同一となるため、以下では、電源回路１４ａを代表として構成及び動作について詳細な説明を行う。
【００２６】
電源１４１ａは、電圧Ａを基準電圧として、回路モジュールＡ及びインターフェース電圧発生回路１４２ａに電圧をそれぞれ印加する。この際、電源１４１ａは、ＣＰＵ１１ａから出力される制御信号に基づいて、電源の供給及び遮断を行う。
【００２７】
インターフェース電圧発生回路１４２ａは、電源１４１ａから印加された電圧Ａを電圧Ｄに降圧し、Ｉ／Ｆ部１５ａに電圧Ｄを印加する。
【００２８】
インターフェース電圧監視回路１４３は、電源１４１ａ及び電源１４１ｂから印加される電圧値を監視する回路であり、監視基準電圧として予め電圧Ｃが設定されている。インターフェース電圧監視回路１４３は、電源１４１ａ又は電源１４１ａから印加された電圧値が電圧Ｃ以下になった場合、Ｉ／Ｆ部１５ａ及びＩ／Ｆ部１５ｂに「Ｌｏｗ」レベルのゲート制御信号を出力する。なお、回路モジュールＡ及び回路モジュールＢにおいて、設定される電圧Ｃは共通の電圧値である。
【００２９】
ここで、回路モジュールＡの駆動電圧を電圧Ａ、回路モジュールＢの駆動電圧を電圧Ｂ、Ｉ／Ｆ部１５ａ、１５ｂの駆動電圧を電圧Ｄ、インターフェース電圧監視回路１４３の監視基準電圧を電圧Ｃとした場合、電圧Ａ，電圧Ｂ，電圧Ｃ，電圧Ｄの関係は下記式（１）を満たすことを特徴とする。
Ａ＞Ｃ＞Ｄ  ∩  Ｂ＞Ｃ＞Ｄ  …  （１）
【００３０】
前記式（１）の関係を満たすことにより、例えば、回路モジュールＡをスリープ状態に移行させるため、ＣＰＵ１１ａから電源１４１ａに電源を遮断させる制御信号が出力された場合、電源１４１ａから印加される電圧値は、電圧Ａから徐々に降下する。そして、インターフェース電圧監視回路１４３において、電源１４１ａから印加される電圧値が電圧Ｃ以下になった場合、インターフェース電圧監視回路１４３は、Ｉ／Ｆ部１５ａ及びＩ／Ｆ部１５ｂに「Ｌｏｗ」レベルのゲート制御信号を出力し、Ｉ／Ｆ部１５ａ及びＩ／Ｆ部１５ｂのゲートをＯＦＦさせ、互いを電気的に遮断させる。
【００３１】
すなわち、監視基準電圧を、回路モジュールＡ及び回路モジュールＢの駆動電圧より小さくし、Ｉ／Ｆ部１５ａ及びＩ／Ｆ部１５ｂの駆動電圧より大きくすることにより、Ｉ／Ｆ部１５ａ及びＩ／Ｆ部１５ｂが駆動可能な状態において、ゲートの制御を行う事ができ、電源遮断前に電気的に相互を遮断させることが可能となる。これにより、スリープ状態に移行する回路モジュールＡの全電位が仮想的にＧＮＤ電位になる前に、電気的にインターフェースの接続を遮断することができるため、電源供給が行われている回路モジュールＢから電源が遮断された回路モジュールＡに不必要な電流が流れてしまう可能性をなくすことができる。
【００３２】
Ｉ／Ｆ部１５ａは、インターフェースの入出力ゲートとしての機能を有しており、インターフェース電圧発生回路１４２ａから印加される電圧Ｄを駆動電圧として動作する。このＩ／Ｆ部１５ａは、Ｉ／Ｆ部１５ｂとの間で採用されている接続バスの規格、例えば、ＰＣＩ（Ｐｅｒｉｐｈｅｒａｌ  Ｃｏｍｐｏｎｅｎｔ  Ｉｎｔｅｒｃｏｎｎｅｃｔ）、ＵＳＢ（Ｕｎｉｖｅｒｓａｌ  Ｓｅｒｉａｌ  Ｂｕｓ）、ＳＣＳＩ（Ｓｍａｌｌ  Ｃｏｍｐｕｔｅｒ  Ｓｙｓｔｅｍ  Ｉｎｔｅｒｆａｃｅ）等の規格に従ってデータの入出力を行う。また、Ｉ／Ｆ部１５ａは、インターフェース電圧監視回路１４３から、「Ｌｏｗ」レベルのゲート制御信号が入力されると、ゲートをＯＦＦにして、Ｉ／Ｆ部１５ｂとの接続を電気的に遮断し、「Ｈｉレベルのゲート制御信号が入力されるとゲートをＯＮにしてＩ／Ｆ部１５ｂと電気的に接続される。なお、Ｉ／Ｆ部１５ａ、１５ｂの駆動電圧は共通した電圧Ｄとなる。
【００３３】
次に、本実施の形態の動作を説明する。
図３に示すタイミングチャートを参照して、電源回路１４ａ及び電源回路１４ｂの動作を説明する。図３に示すように、ＣＰＵ１１ａから電源１４１ａに電源を遮断させる制御信号が出力されると、電源１４１ａは、徐々に印加する電圧を降下させる。ここで、電源１４１ａから印加される電圧値が電圧Ｃになると、インターフェース電圧監視回路１４３から、Ｉ／Ｆ部１５ａ及びＩ／Ｆ部１５ｂに「Ｌｏｗ」レベルのゲート制御信号が出力される。
【００３４】
これにより、Ｉ／Ｆ部１５ａ及びＩ／Ｆ部１５ｂのゲートがＯＦＦされ、Ｉ／Ｆ部１５ａ及びＩ／Ｆ部１５ｂは、互いに電気的に遮断された状態となる。さらに、電源１４１ａから印加される電圧が降下し、電圧Ｄになると、インターフェース電圧発生回路からＩ／Ｆ部１５ａに印加される電圧が降下し始める。そして、電源１４１ａから印加される電圧が略０になると同時に、インターフェース電圧発生回路１４２ａから印加される電圧も略０となり、回路モジュールＡは、電源が遮断された状態となり、スリープ状態に移行する。
【００３５】
一方、ＣＰＵ１１ａから電源１４１ａに電源を供給させる制御信号が出力されると、電源１４１ａは、徐々に印加する電圧を上昇させる。これにより、インターフェース電圧発生回路からＩ／Ｆ部１５ａに印加される電圧も同様に上昇し、インターフェース電圧発生回路１４２ａから印加される電圧が電圧Ｄに達すると、Ｉ／Ｆ部１５ａが駆動される。さらに、電源１４１ａから印加される電圧が上昇し、電圧が電圧Ｃになると、インターフェース電圧監視回路１４３から、Ｉ／Ｆ部１５ａ及びＩ／Ｆ部１５ｂに「Ｈｉ」レベルのゲート制御信号が出力される。
【００３６】
これにより、Ｉ／Ｆ部１５ａ及びＩ／Ｆ部１５ｂのゲートがＯＮされ、Ｉ／Ｆ部１５ａ及びＩ／Ｆ部１５ｂは、互いに電気的に接続された状態となる。そして、電源１４１ａから印加される電圧が電圧Ａになると、回路モジュールＡが駆動され、スリープ状態から稼動可能な状態へと移行する。なお、ＣＰＵ１１ｂから電源回路１４ｂに電源を遮断又は供給させる制御信号が入力された場合、電源回路１４ｂは、上述した電源回路１４ａと同様の動作を行う。
【００３７】
以上のように、独立して電源の制御が行われる２つの回路モジュールＡ，Ｂを備える複合機１において、インターフェース電圧監視回路１４３は、電源１４１ａ及び電源回路１４１ｂから印加される電圧を一括して監視し、一方の回路モジュールへの電源が遮断される際に、電源１４１ａ又は１４１ｂから印加される電圧が監視基準電圧として設定される電圧Ｃ以下になった場合、「Ｌｏｗ」レベルのゲート制御信号をＩ／Ｆ部１５ａ及びＩ／Ｆ部１５ｂに出力することにより、電源１４１ａ及び１４１ｂから印加される電圧がＩ／Ｆ部１５ａ及びＩ／Ｆ部１５ｂの駆動電圧である電圧Ｄ以下になる前に、Ｉ／Ｆ部１５ａ及びＩ／Ｆ部１５ｂのゲートをＯＦＦさせて、回路モジュールＡ、Ｂを電気的に遮断させる。
【００３８】
したがって、一方の回路モジュールの電源が遮断され、全電位が仮想的にＧＮＤ電位になった場合であっても、回路モジュール間におけるインターフェースの接続は電気的に遮断されているため、電源供給が行われている他方の回路からＨ電位の信号が出力される可能性をなくすことができる。これにより、電源供給が行われている回路において、出力用ＩＣの最大定格値を超えた電流が出力され、回路のＩＣが破壊されてしまうという現象を防ぐことができる。
【００３９】
また、例えば、複合機１に処理能力を超えたオーダーが入力され、所定の回路にシステムエラーが生じると、強制的にこの回路の電源を遮断しなくてはいけない場合がある。この場合であっても、電源が強制的に遮断された回路において、ゲート制御信号により、インターフェースの接続が電気的に遮断されるため、他の回路に影響を及ぼすことなく、システムエラーが生じた回路の復旧を図ることができる。
【００４０】
なお、上述した本実施の形態における記述は、本発明に係る電子機器の一例であり、これに限定されるものではない。
例えば、本実施の形態においては、複数の回路モジュールを備える複合機１を例として説明を行ったが、これに限らず、複数の回路モジュールを備え、回路毎に電源の制御が行われる電子機器であれば、本発明を適用可能であることは勿論である。
【００４１】
また、本発明においては、回路モジュール毎に電源を備え、各電源から印加される電圧を監視することにより、回路モジュールに印加される電圧を監視する構成としたが、これに限らず、例えば、切替手段を備え、１又は２以上の電源から複数の回路に電源を切り替えて供給する構成であっても良い。この場合、切替手段において、各回路モジュールに供給される電圧を監視する構成であれば良い。
【００４２】
さらに、本発明においては、インターフェース電圧監視回路１４３から出力されるゲート制御信号により、Ｉ／Ｆ部１５ａ及びＩ／Ｆ部１５ｂのゲートのＯＮ／ＯＦＦを制御する構成として説明を行ったが、これに限らない。例えば、入力ゲートと出力ゲートが独立して制御されるＩ／Ｆ部により構成される場合は、少なくとも出力ゲートのＯＮ／ＯＦＦを制御する構成であれば良い。
【００４３】
或いは、Ｉ／Ｆ部１５ａ及びＩ／Ｆ部１５ｂのゲートをＯＮ／ＯＦＦする構成でなくても良く、例えば、回路モジュールＡの電源が遮断される場合は、ゲート制御信号により、回路モジュールＢのＩ／Ｆ部１５ｂのゲートをＯＮ／ＯＦＦ制御し、回路モジュールＢの電源が遮断される場合は、ゲート制御信号により、回路モジュールＡのＩ／Ｆ１５ａのゲートをＯＮ／ＯＦＦ制御する構成であれば良い。
【００４４】
すなわち、電源遮断時に起こりうる現象としては、電源が供給されている回路から、電源が遮断された回路に不必要な電流が流れることであるため、これを防止するためには、少なくとも電源が供給されている回路のインターフェースの出力ゲートをＯＮ／ＯＦＦ制御できれば良い。
【００４５】
その他、本実施の形態における複合機１の構成部分の細部構成及び細部動作に関しても、本発明の趣旨を逸脱することのない範囲で適宜変更可能である。
【００４６】
【発明の効果】
請求項１又は３に記載の発明によれば、インターフェースを介して接続される複数の回路毎に電源の遮断及び供給の制御を行う電子機器において、一方の回路の電源を遮断し、他方の回路に電源を供給する場合、一方の回路の電源が遮断される前に、インターフェースの接続を電気的に遮断することにより、電源が供給されている回路から、電源が遮断された回路に不必要な電流が流れる可能性を排除して、回路の破壊を防止することができる。
【００４７】
請求項２又は４に記載の発明によれば、請求項１又は３に記載の発明の効果に加えて、監視基準電圧を、複数の回路の駆動電圧より小さく、インターフェースの駆動電圧より大きく設定し、この監視基準電圧に基づいて回路に印加される電源電圧の降下を監視することにより、電源遮断動作を的確に認識することができる。また、電圧監視手段により監視されている回路の電圧が監視基準電圧以下になった場合であっても、インターフェースは駆動されているため、インターフェースの出力ゲートにゲートオフ信号を出力することにより、回路間の接続を電気的に遮断することが可能となる。
【図面の簡単な説明】
【図１】本発明を適用した実施の形態における複合機１の概略構成を示すブロック図である。
【図２】図１の電源回路１４ａ，１４ｂ及びＩ／Ｆ部１５ａ，１５ｂの機能的構成を示すブロック図である。
【図３】電源回路１４ａ、１４ｂの動作を示すタイミングチャートである。
【図４】従来の複合機１００の概略構成を示すブロック図である。
【図５】従来の電源回路１０１ａ，１０１ｂ及びＩ／Ｆ部１０２ａ，１０２ｂの機能的構成を示すブロック図である。
【符号の説明】
１，１００    複合機
１１ａ，１１ｂ    ＣＰＵ
１２ａ，１２ｂ    ＲＯＭ
１３ａ，１３ｂ    ＲＡＭ
１４ａ，１４ｂ    電源回路
１４１ａ，１４１ｂ    電源
１４２ａ，１４２ｂ    インターフェース電圧発生回路
１４３                インターフェース電圧監視回路
１５ａ，１５ｂ    Ｉ／Ｆ部
１０１ａ，１０１ｂ    電源回路
１０ａ，１０ｂ        電源
２０ａ，２０ｂ        インターフェース電圧発生回路
【図１】
2004171262.tif 000003
【図２】
2004171262.tif 000004
【図３】
2004171262.tif 000005
【図４】
2004171262.tif 000006
【図５】
2004171262.tif 000007